(57)【要約】  本発明は、３Ｄモデリング用三脚スタンドおよびカメラ撮影姿勢の認識方法を開示し、伸縮ロッド、携帯電話クリップ、ヘッドおよびスタンドを含み、前記伸縮ロッドは、複数の中空丸棒を入れ子にして構成され、丸棒は、伸ばしてロック可能であり、携帯電話クリップは、携帯電話クリップホルダによって伸縮ロッドに固定され、ヘッドは、伸縮ロッドの上部に設けられ、前記スタンドは、伸縮ロッドの下部に設けられ、前記伸縮ロッドは、スタンドによって平面上に垂直に設けられ、前記スタンドは三群に分かれ、伸縮ロッドの外周に均等に配置される。本発明は、スタンドの下部のタッチダウン部分に対照色を用いてタッチダウンポイントの認識を容易にし、これらのポイントの間隔を写真で測定することにより、三脚スタンドの高さを正確に算出でき、スタンドに携帯電話クリップを固定し、撮影時に携帯電話の方向センサを利用して向きを記録することで、カメラに方向センサを搭載していなくても正確な撮影方向を得ることができ、構造が簡単で、操作しやすく、コストが低く、伸縮可能に収納でき、持ち運びにも便利である。【選択図】図１
2021523420.tif 000002
【特許請求の範囲】
【請求項１】
伸縮ロッド（１）、携帯電話クリップ（３）、ヘッド（２）およびスタンドを含み、前記伸縮ロッド（１）は、複数の中空丸棒を入れ子にして構成され、前記丸棒は、伸ばしてロック可能であり、前記携帯電話クリップ（３）は、携帯電話クリップホルダ（４）によって伸縮ロッド１に固定され、前記ヘッド（２）は、伸縮ロッド（１）の上部に設けられ、前記スタンドは、伸縮ロッド（１）の下部に設けられ、前記伸縮ロッド（１）は、三脚によって平面上に垂直に設けられ、前記スタンドは三群に分かれ、伸縮ロッド（１）の外周に均等に配置される、ことを特徴とする３Ｄモデリング用三脚スタンド。
【請求項２】
前記伸縮ロッド（１）は、内側に嵌設された丸棒の下部に固定ピンが設けられ、外側に嵌設された丸棒の上部に固定穴が設けられる、ことを特徴とする請求項１に記載の３Ｄモデリング用三脚スタンド。
【請求項３】
前記ヘッド（２）は、固定筒（２１）、円台（２２）および固定ネジ（２３）を含み、前記円台（２２）は、固定筒（２１）によって伸縮ロッド（１）の上部に固定され、前記固定ネジ（２３）は、円台（２２）の中心に設けられる、ことを特徴とする請求項１に記載の３Ｄモデリング用三脚スタンド。
【請求項４】
前記ヘッドにはクイックリリースプレートベースが設けられ、前記クイックリリースプレートベースは、固定ネジ（２３）によって固定され、前記クイックリリースプレートベースには、カメラを固定するためのクイックリリースプレートが設けられ、前記クイックリリースプレートは可動カードプレートであり、前記可動カードプレートは、ロックノブによって幅を調整してロックすることが可能である、ことを特徴とする請求項３に記載の３Ｄモデリング用三脚スタンド。
【請求項５】
前記携帯電話クリップホルダ（４）は、伸縮ロッド（１）に嵌設され、前記携帯電話クリップ（３）には幅調整装置が設けられる、ことを特徴とする請求項１に記載の３Ｄモデリング用三脚スタンド。
【請求項６】
前記スタンドは、接続ロッド（６）および支持ロッド（７）を含み、前記支持ロッド（７）の一端は、接続ロッド（６）の中間部にピン接続され、前記支持ロッド（７）の他端は、支持ロッド固定リングによって伸縮ロッド（１）の下部に固定され、前記支持ロッド（７）は、支持ロッド固定リングにピン接続され、前記接続ロッド（６）の一端は、接続ロッド固定スリーブ（５）にピン接続され、前記接続ロッド（６）の他端には脚スリーブ（８）が設けられる、ことを特徴とする請求項１に記載の３Ｄモデリング用三脚スタンド。
【請求項７】
前記接続ロッド固定スリーブ（５）は、伸縮ロッド（１）に嵌設され、前記接続ロッド固定スリーブ（５）の内にはブッシュが設けられ、前記接続ロッド固定スリーブ（５）にはロックネジが設けられ、前記接続ロッド固定スリーブ（５）は伸縮ロッド（１）上を移動し、ロックネジによってロックされる、ことを特徴とする請求項６に記載の３Ｄモデリング用三脚スタンド。
【請求項８】
前記脚スリーブ（８）の色と接続ロッド（６）の色を対照色とする、ことを特徴とする請求項６に記載の３Ｄモデリング用三脚スタンド。
【請求項９】
請求項１−８のいずれかに記載の３Ｄモデリング用三脚スタンドを用いてカメラを架設し、かつカメラの高さを認識し、以下のステップ、すなわち、
Ｓ１）パノラマカメラで撮影したパノラマ画像を用いて、カメラ真下のビューを得るステップと、
Ｓ２）ビュー内の２つの脚スリーブ（８）の範囲を特定し、各脚スリーブ（８）の中心点の位置を算出するステップと、
Ｓ３）２つの脚スリーブ（８）のユークリッド距離を算出するステップと、
Ｓ４）カメラの高さの実測値を予め取得し、ステップＳ１−Ｓ４を繰り返して、複数群の脚スリーブ間のユークリッド距離とカメラの高さとの対応するデータを取得するステップと、
Ｓ５）Ｓ４で得られた対応するデータに基づいて、スプライン補間を行い、脚スリーブ間のユークリッド距離とカメラの高さの対応関係をフィットするステップと、
Ｓ６）新たに撮影された写真については、現在のビューにおける２つの脚スリーブ間のユークリッド距離を認識して算出し、Ｓ５でのスプライン関数を用いて、現在のカメラレンズの高さを算出するステップとを含む、ことを特徴とするカメラ撮影姿勢の認識方法。
【請求項１０】
前記携帯電話クリップホルダ（４）は、伸縮ロッド（１）に嵌設され、前記携帯電話クリップ（３）には幅調整装置が設けられ、カメラの向きを認識するために、前記認識方法はさらに、以下のステップ、すなわち、
Ｓ７）携帯電話とパノラマカメラをそれぞれ三脚スタンドに固定し、２つの間の角度が固定されるようにするステップと、
Ｓ８）事前に一枚の画像を撮影し、その画像を携帯電話でプレビューし、パノラマ画像における携帯電話の背面カメラの向きの位置を取得して、携帯電話とパノラマカメラの向きの間の角度ｔｈｅｔａを取得するステップと、
Ｓ９）新しい写真を撮り続け、携帯電話のセンサに基づいて、携帯電話の回転角ｐｈｉを取得し、携帯電話とパノラマカメラの間の角度が固定されているため、２つのパノラマ写真の間の向きの角度もｐｈｉでなければならず、それによって、異なるパノラマ写真の間の相対的な回転角を得るステップと、
Ｓ１０）携帯電話のコンパスセンサに基づいて、携帯電話の向きと真北方向との間の角度ａｌｐｈａを求め、携帯電話とパノラマカメラの向きの間の角度ｔｈｅｔａに基づいて、パノラマカメラのレンズおよびそれが撮影したパノラマ写真と、真北方向との角度と絶対的な向きを求めるステップとを含む、ことを特徴とする請求項９に記載のカメラ撮影姿勢の認識方法。
【発明の詳細な説明】
【技術分野】
【０００１】
本発明は、スタンドおよびその使用方法に関し、特に、３Ｄモデリング用三脚スタンドおよびカメラ撮影姿勢の認識方法に関する。
【背景技術】
【０００２】
カメラの写真に基づく３Ｄモデリングは、正確なカメラの高さと撮影方向に依存している。現在市販されている三脚スタンドはカメラの位置を固定することしかできず、ほとんどのカメラ自体が撮影方向を記録できない。同時に、市販されている三脚スタンドでは、調整時に全体の高さを保証できず、タッチダウンポイントの区別が難しいため、カメラの高さの測定が困難となり、しかも、カメラの水平調整には調整機構が必要であり、構造が複雑で操作が面倒である。そのため、カメラの高さを簡単に測定し、撮影方向を記録するための三脚スタンドを提供する必要がある。
【発明の概要】
【発明が解決しようとする課題】
【０００３】
本発明が解決しようとする技術的課題は、３Ｄモデリング用三脚スタンドおよびカメラ撮影姿勢の認識方法を提供し、カメラスタンドの高さの測定が困難で、撮影方向を記録しにくいという問題点を解決することである。
【課題を解決するための手段】
【０００４】
上記の技術的課題を解決するために本発明が採用する技術的解決手段は、３Ｄモデリング用三脚スタンドを提供し、伸縮ロッド、携帯電話クリップ、ヘッドおよびスタンドを含み、前記伸縮ロッドは、複数の中空丸棒を入れ子にして構成され、前記丸棒は、伸ばしてロック可能であり、前記携帯電話クリップは、携帯電話クリップホルダによって伸縮ロッドに固定され、前記ヘッドは、伸縮ロッドの上部の設けられ、前記スタンドは、伸縮ロッドの下部に設けられ、前記伸縮ロッドは、スタンドによって平面上に垂直に設けられ、前記スタンドは三群に分かれ、伸縮ロッドの外周に均等に配置される。
【０００５】
さらに、前記伸縮ロッドは、内側に嵌設された丸棒の下部に固定ピンが設けられ、外側に嵌設された丸棒の上部には固定穴が設けられる。
【０００６】
さらに、前記ヘッドは、固定筒、円台および固定ネジを含み、前記円台は、固定筒によって伸縮ロッドの上部に固定され、前記固定ネジは、円台の中心に設けられる。パノラマカメラは、ネジによってヘッドに固定される。
【０００７】
さらに、前記ヘッドにはクイックリリースプレートベースが設けられ、前記クイックリリースプレートベースは、固定ネジによって固定され、前記クイックリリースプレートベースには、カメラを固定するためのクイックリリースプレートが設けられ、前記クイックリリースプレートは可動カードプレートであり、前記可動カードプレートは、ロックノブによって幅を調整してロックすることができる。
【０００８】
さらに、前記携帯電話クリップホルダは、伸縮ロッドに嵌設され、前記携帯電話クリップには幅調整装置が設けられる。
【０００９】
さらに、前記スタンドは、接続ロッドおよび支持ロッドを含み、前記支持ロッドの一端は、接続ロッドの中間部にピン接続され、前記支持ロッドの他端は、支持ロッド固定リングによって伸縮ロッドの下部に固定され、前記支持ロッドは、支持ロッド固定リングにピン接続され、前記接続ロッドの一端は、接続ロッド固定スリーブにピン接続され、前記接続ロッドの他端には脚スリーブが設けられる。
【００１０】
さらに、前記接続ロッド固定スリーブは、伸縮ロッドに嵌設され、前記接続ロッド固定スリーブの内側にはブッシュが設けられ、前記接続ロッド固定スリーブにはロックネジが設けられ、前記接続ロッド固定スリーブは伸縮ロッド上を移動し、ロックネジによってロックされる。
【００１１】
さらに、前記脚スリーブの色と接続ロッドの色を対照色とする。
【００１２】
上記の技術的課題を解決するために、本発明はさらに、カメラ撮影姿勢の認識方法を提供し、上記の３Ｄモデリング用三脚スタンドを用いてカメラを架設し、カメラの高さを認識し、以下のステップ、すなわち、Ｓ１）パノラマカメラで撮影したパノラマ画像を用いて、カメラ直下のビューを得るステップと、Ｓ２）ビュー内の２つの脚スリーブの範囲を特定し、各脚スリーブの中心点の位置を算出するステップと、Ｓ３）２つの脚スリーブのユークリッド距離を算出するステップと、Ｓ４）カメラの高さの実測値を予め取得し、ステップＳ１-Ｓ４を繰り返して、複数群の脚スリーブ間のユークリッド距離とカメラの高さとの対応するデータを取得するステップと、Ｓ５）Ｓ４で得られた対応するデータに基づいて、スプライン補間を行い、脚スリーブ間のユークリッド距離とカメラの高さの対応関係をフィットするステップと、Ｓ６）新たに撮影された写真については、現在のビューにおける２つの脚スリーブ間のユークリッド距離を認識して算出し、Ｓ５でのスプライン関数を用いて、現在のカメラレンズの高さを算出するステップと、を含む。
【００１３】
さらに、前記携帯電話クリップホルダは、伸縮ロッドに嵌設され、前記携帯電話クリップには幅調整装置が設けられ、前記認識方法はさらに、カメラの向きを認識するために、以下のステップ、すなわち、Ｓ７）携帯電話とパノラマカメラをそれぞれ三脚スタンドに固定し、２つの間の角度が固定されるようにするステップと、Ｓ８）事前に一枚の画像を撮影し、その画像を携帯電話でプレビューし、パノラマ画像における携帯電話の背面カメラの向きの位置を取得して、携帯電話とパノラマカメラの向きの間の角度ｔｈｅｔａを取得するステップと、Ｓ９）新しい写真を撮り続け、携帯電話のセンサに基づいて、携帯電話の回転角ｐｈｉを取得し、携帯電話とパノラマカメラの間の角度が固定されているため、２つのパノラマ写真の間のカメラの向きの角度もｐｈｉでなければならず、それによって、異なるパノラマ写真の間の相対的な回転角を得るステップと、Ｓ１０）携帯電話のコンパスセンサから得られた角度に基づいて、携帯電話の回転方向と真北方向との間の角度ａｌｐｈａを求め、携帯電話とパノラマカメラの向きの間の角度ｔｈｅｔａに基づいて、パノラマカメラのレンズおよびそれが撮影したパノラマ写真と、真北方向との角度、および絶対的な向きと絶対的な角度を求めるステップと、を含む。
【発明の効果】
【００１４】
本発明は、従来技術と比較して、以下の有益な効果を有する。本発明によって提供される３Ｄモデリング用三脚スタンドとカメラ撮影姿勢の認識方法では、スタンドの下部のタッチダウン部分に対照色を用いてタッチダウンポイントの認識を容易にし、これらのポイントの間隔を写真で測定することにより、三脚スタンドの高さを正確に算出できる。スタンドに携帯電話クリップを固定し、撮影時に携帯電話の方向センサを利用して向きを記録することで、カメラに方向センサを搭載していなくても正確な撮影方向を得ることができる。構造が簡単で、操作しやすく、コストが低く、伸縮可能に収納でき、持ち運びにも便利である。
【図面の簡単な説明】
【００１５】
【図１】本発明の実施例に係る３Ｄモデリング用三脚スタンドの構造を示す図である。
【図２】本発明の実施例に係るヘッド構造を示す図である。
【００１６】
図中：
１伸縮ロッド
２ヘッド
３携帯電話クリップ
４携帯電話クリップホルダ
５接続ロッド固定リング
６接続ロッド
７支持ロッド
８脚スリーブ
２１固定筒
２２円台
２３固定ネジ
【発明を実施するための形態】
【００１７】
以下、図面と実施例を組み合わせて、本発明をより詳細に説明する。
【００１８】
図１は、本発明の実施例に係る３Ｄモデリング用三脚スタンドの構造を示す図である。
【００１９】
図１を参照し、本発明の実施例に係る３Ｄモデリング用三脚スタンドは、伸縮ロッド１、携帯電話クリップ３、ヘッド２およびスタンドを含んでおり、前記伸縮ロッド１は、複数の中空丸棒を入れ子にして構成され、前記丸棒は、伸ばしてロック可能であり、前記携帯電話クリップ３は、携帯電話クリップホルダ４によって伸縮ロッド１に固定され、前記ヘッド２は、伸縮ロッド１の上部に設けられ、前記スタンドは、伸縮ロッド１の下部に設けられ、前記伸縮ロッド１は、スタンドによって平面上に垂直に設けられ、前記スタンドは三群に分かれ、伸縮ロッド１の外周に均等に配置される。
【００２０】
具体的には、本発明の実施例に係る３Ｄモデリング用三脚スタンドでは、伸縮ロッド１は、内側に嵌設された丸棒の下部に固定ピンが設けられ、外側に嵌設された丸棒の上部に固定穴が設けられる。伸縮ロッド１は、伸ばし可能であり、かつ回転などによりロック可能であり、例えば、特許文献２０１４２０５０００４２．７に開示されている回転ロック式伸縮ロッドが挙げられる。丸棒は、伸ばして展開し、固定ピンを固定穴に係合してロックし、伸縮ロッド１の高さがそのまま保持し、丸棒を入れ子にする時、占用スペースが小さく、収納や持ち運びにも便利である。
【００２１】
具体的には、本発明の実施例に係る３Ｄモデリング用三脚スタンドでは、携帯電話クリップホルダ４は、伸縮ロッド１に嵌設され、携帯電話クリップ３の幅を、調整ノブやバネなどで調整することができ、向きを記録しやすい。撮影時に携帯電話を携帯電話クリップ３にセットし、携帯電話の方向センサを利用して向きを記録することで、カメラに方向センサを搭載していなくても正確な撮影方向を得ることができる。
【００２２】
具体的には、本発明の実施例に係る３Ｄモデリング用三脚スタンドでは、スタンドは、接続ロッド６および支持ロッド７を含み、支持ロッド７の一端は、接続ロッド６の中間部にピン接続され、前記支持ロッド７の他端は、支持ロッド固定リング５によって伸縮ロッド１の下部に固定され、前記支持ロッド７は、支持ロッド固定リングにピン接続され、前記接続ロッド６の一端は、接続ロッド固定スリーブ５にピン接続され、前記接続ロッド６の他端には脚スリーブ８が設けられる。接続ロッド固定スリーブ５は、伸縮ロッド１に嵌設され、前記接続ロッド固定スリーブ５の内側にはブッシュが設けられ、前記接続ロッド固定スリーブ５にはロックネジが設けられ、接続ロッド固定スリーブ５は伸縮ロッド上を移動し、ロックネジによってロックされ、接続ロッド固定スリーブ５は接続ロッド６と支持ロッド７を駆動して移動し、三群のスタンドが同期して移動するので、伸縮ロッド１の高さが変わるだけで、ヘッド上のカメラは調整することなく水平のままであり、操作が簡単である。脚スリーブの色と接続ロッドの色を対照色とし、接続ロッド６を黒色、脚スリーブ８を黄色に設定することで、対照が明らかになり、写真のタッチダウンポイントの認識が容易になり、写真のタッチダウンポイントの間隔を測定することで、三脚スタンドの高さを正確に算出することができる。
【００２３】
図２を参照し、本発明の実施例に係る３Ｄモデリング用三脚スタンドでは、ヘッド２は、固定筒２１、円台２２および固定ネジ２３を含み、前記円台２２は、固定筒２１によって固伸縮ロッド１の上部に固定され、前記固定ネジ２３は、円台２２の中心に設けられる。好ましくは、前記ヘッドにはクイックリリースプレートベースが設けられ、前記クイックリリースプレートベースは、固定ネジによって固定され、前記クイックリリースプレートベースには、カメラを固定するためのクイックリリースプレートが設けられ、前記クイックリリースプレートは可動カードプレートであり、前記可動カードプレートは、ロックノブによって幅を調整してロックすることができ、パノラマカメラは、クイックリリースプレートによってクイックリリースプレートベースに固定される。
【００２４】
本発明によって提供される３Ｄモデリング用三脚スタンドとカメラ撮影姿勢の認識方法では、スタンドの下部のタッチダウン部分に対照色を用いてタッチダウンポイントの認識を容易にし、これらのポイントの間隔を写真で測定することにより、三脚スタンドの高さを正確に算出できる。スタンドに携帯電話クリップを固定し、撮影時に携帯電話の方向センサを利用して向きを記録することで、カメラに方向センサを搭載していなくても正確な撮影方向を得ることができる。構造が簡単で、操作しやすく、コストが低く、伸縮可能に収納でき、持ち運びにも便利である。
【００２５】
本発明はさらに、上記三脚スタンドを用いたカメラの高さ識別方法を提供し、そのステップは以下の通りである。
【００２６】
Ｓ１）パノラマカメラで撮影したパノラマ画像を３Ｄ球面テクスチャマップとし、３Ｄレンダリングによりカメラ直下のビューを得る。
【００２７】
（Ｓ２）ビュー内の脚スリーブの範囲を特定し、脚スリーブの中心点の位置を算出し、脚スリーブの位置を特定する方法は多くあり、例えば、（１）色を利用して脚スリーブ上のターゲットを特定する；（２）特殊な形状や標識をターゲットとして使用し、対応する形状、例えば十字線、同心円などを認識する；（３）脚スリーブにエミッタに取り付け、可視光／非可視光を発する；（４）画像分割法を利用して図中の角枠全体を認識し、３つの角を見つける；（５）方法２と同様に、あらかじめターゲットの写真を撮影し、ｔｅｍｐｌａｔｅ  ｍａｔｃｈｉｎｇアルゴリズムを利用して位置決めする。
【００２８】
本発明に係る脚スリーブ８の色と、接続ロッド６の色は対照色であり、画像をＨＳＶ色空間に変換した後、脚スリーブとその周囲のコントラストを利用して、画像を２値化して脚スリーブの範囲を認識する。
【００２９】
Ｓ３）カメラと角枠の位置が固定されているため、三脚スタンドには、一方のレンズの範囲内に必ず２つの脚スリーブがあり、この２つの脚スリーブのユークリッド距離を算出する。
【００３０】
Ｓ４）この距離は角枠の高さに関係しているが、単純な直線的な関係ではなく、この距離とカメラの高さとの関係を決定するために、予め実測を行い、そのうちの１セットの測定値を以下のようにした。
【表１】
2021523420.tif 000003
【００３１】
数回の測定後、各高さに対応する平均値を得る。
【００３２】
Ｓ５）Ｓ４で得られたデータに基づいて、３次スプライン補間を行う。
【００３３】
Ｓ６）新たに撮影した写真については、２つの脚スリーブ間の距離と３次スプライン関数を用いて、カメラレンズの高さを算出する。
【００３４】
本発明はさらに、上記の三脚スタンドを用いた写真向きの算出を提供し、ほとんどのパノラマカメラはカメラの向きを提供していないため、後続の応用が難しくなり、本発明は、この問題を解決するために、三脚スタンドに回転できない携帯電話ホルダを設計し、方法は以下の通りである。
【００３５】
Ｓ７）携帯電話とパノラマカメラをそれぞれ三脚スタンドに固定し、２つの間の角度が固定されていることを確保する。
【００３６】
Ｓ８）事前に一枚の画像を撮影し、その画像を携帯電話でプレビューし、パノラマ画像における携帯電話の背面カメラの向きの位置を取得して、携帯電話とパノラマカメラの向きの間の角度ｔｈｅｔａを取得する。
【００３７】
Ｓ９）新しい写真を撮り続け、携帯電話の角速度センサに基づいて（コンパスを使って、または角速度センサに基づいて）に基づいて、携帯電話の回転角ｐｈｉを取得し、携帯電話とパノラマカメラの間の角度が固定されているため、２つのパノラマ写真の間のカメラの向きの角度もｐｈｉでなければならず、それによって、異なるパノラマ写真の間の相対的な回転角を得る。
【００３８】
Ｓ１０）前記携帯電話のコンパスセンサから得られた角度に基づいて、携帯電話の回転方向と真北方向との間の角度ａｌｐｈａを求め、携帯電話とパノラマカメラの向きの間の角度ｔｈｅｔａに基づいて、パノラマカメラのレンズおよびそれが撮影したパノラマ写真と、真北方向との角度、および絶対的な向きと絶対的な角度を求める。
【００３９】
本発明は、好ましい実施例により上記に開示されたが、本発明を限定することを意図するものではなく、当業者であれば、本発明の精神および範囲から逸脱することなく、軽微な修正および改良を行うことができ、それにより、本発明の保護範囲は特許請求の範囲に定義された通りとなる。
【００４０】
（付記）
（付記１）
伸縮ロッド（１）、携帯電話クリップ（３）、ヘッド（２）およびスタンドを含み、前記伸縮ロッド（１）は、複数の中空丸棒を入れ子にして構成され、前記丸棒は、伸ばしてロック可能であり、前記携帯電話クリップ（３）は、携帯電話クリップホルダ（４）によって伸縮ロッド１に固定され、前記ヘッド（２）は、伸縮ロッド（１）の上部に設けられ、前記スタンドは、伸縮ロッド（１）の下部に設けられ、前記伸縮ロッド（１）は、三脚によって平面上に垂直に設けられ、前記スタンドは三群に分かれ、伸縮ロッド（１）の外周に均等に配置される、ことを特徴とする３Ｄモデリング用三脚スタンド。
【００４１】
（付記２）
前記伸縮ロッド（１）は、内側に嵌設された丸棒の下部に固定ピンが設けられ、外側に嵌設された丸棒の上部に固定穴が設けられる、ことを特徴とする付記１に記載の３Ｄモデリング用三脚スタンド。
【００４２】
（付記３）
前記ヘッド（２）は、固定筒（２１）、円台（２２）および固定ネジ（２３）を含み、前記円台（２２）は、固定筒（２１）によって伸縮ロッド（１）の上部に固定され、前記固定ネジ（２３）は、円台（２２）の中心に設けられる、ことを特徴とする付記１に記載の３Ｄモデリング用三脚スタンド。
【００４３】
（付記４）
前記ヘッドにはクイックリリースプレートベースが設けられ、前記クイックリリースプレートベースは、固定ネジ（２３）によって固定され、前記クイックリリースプレートベースには、カメラを固定するためのクイックリリースプレートが設けられ、前記クイックリリースプレートは可動カードプレートであり、前記可動カードプレートは、ロックノブによって幅を調整してロックすることが可能である、ことを特徴とする付記３に記載の３Ｄモデリング用三脚スタンド。
【００４４】
（付記５）
前記携帯電話クリップホルダ（４）は、伸縮ロッド（１）に嵌設され、前記携帯電話クリップ（３）には幅調整装置が設けられる、ことを特徴とする付記１に記載の３Ｄモデリング用三脚スタンド。
【００４５】
（付記６）
前記スタンドは、接続ロッド（６）および支持ロッド（７）を含み、前記支持ロッド（７）の一端は、接続ロッド（６）の中間部にピン接続され、前記支持ロッド（７）の他端は、支持ロッド固定リングによって伸縮ロッド（１）の下部に固定され、前記支持ロッド（７）は、支持ロッド固定リングにピン接続され、前記接続ロッド（６）の一端は、接続ロッド固定スリーブ（５）にピン接続され、前記接続ロッド（６）の他端には脚スリーブ（８）が設けられる、ことを特徴とする付記１に記載の３Ｄモデリング用三脚スタンド。
【００４６】
（付記７）
前記接続ロッド固定スリーブ（５）は、伸縮ロッド（１）に嵌設され、前記接続ロッド固定スリーブ（５）の内にはブッシュが設けられ、前記接続ロッド固定スリーブ（５）にはロックネジが設けられ、前記接続ロッド固定スリーブ（５）は伸縮ロッド（１）上を移動し、ロックネジによってロックされる、ことを特徴とする付記６に記載の３Ｄモデリング用三脚スタンド。
【００４７】
（付記８）
前記脚スリーブ（８）の色と接続ロッド（６）の色を対照色とする、ことを特徴とする付記６に記載の３Ｄモデリング用三脚スタンド。
【００４８】
（付記９）
付記１−８のいずれかに記載の３Ｄモデリング用三脚スタンドを用いてカメラを架設し、かつカメラの高さを認識し、以下のステップ、すなわち、
Ｓ１）パノラマカメラで撮影したパノラマ画像を用いて、カメラ真下のビューを得るステップと、
Ｓ２）ビュー内の２つの脚スリーブ（８）の範囲を特定し、各脚スリーブ（８）の中心点の位置を算出するステップと、
Ｓ３）２つの脚スリーブ（８）のユークリッド距離を算出するステップと、
Ｓ４）カメラの高さの実測値を予め取得し、ステップＳ１−Ｓ４を繰り返して、複数群の脚スリーブ間のユークリッド距離とカメラの高さとの対応するデータを取得するステップと、
Ｓ５）Ｓ４で得られた対応するデータに基づいて、スプライン補間を行い、脚スリーブ間のユークリッド距離とカメラの高さの対応関係をフィットするステップと、
Ｓ６）新たに撮影された写真については、現在のビューにおける２つの脚スリーブ間のユークリッド距離を認識して算出し、Ｓ５でのスプライン関数を用いて、現在のカメラレンズの高さを算出するステップとを含む、ことを特徴とするカメラ撮影姿勢の認識方法。
【００４９】
（付記１０）
前記携帯電話クリップホルダ（４）は、伸縮ロッド（１）に嵌設され、前記携帯電話クリップ（３）には幅調整装置が設けられ、カメラの向きを認識するために、前記認識方法はさらに、以下のステップ、すなわち、
Ｓ７）携帯電話とパノラマカメラをそれぞれ三脚スタンドに固定し、２つの間の角度が固定されるようにするステップと、
Ｓ８）事前に一枚の画像を撮影し、その画像を携帯電話でプレビューし、パノラマ画像における携帯電話の背面カメラの向きの位置を取得して、携帯電話とパノラマカメラの向きの間の角度ｔｈｅｔａを取得するステップと、
Ｓ９）新しい写真を撮り続け、携帯電話のセンサに基づいて、携帯電話の回転角ｐｈｉを取得し、携帯電話とパノラマカメラの間の角度が固定されているため、２つのパノラマ写真の間の向きの角度もｐｈｉでなければならず、それによって、異なるパノラマ写真の間の相対的な回転角を得るステップと、
Ｓ１０）携帯電話のコンパスセンサに基づいて、携帯電話の向きと真北方向との間の角度ａｌｐｈａを求め、携帯電話とパノラマカメラの向きの間の角度ｔｈｅｔａに基づいて、パノラマカメラのレンズおよびそれが撮影したパノラマ写真と、真北方向との角度と絶対的な向きを求めるステップとを含む、ことを特徴とする付記９に記載のカメラ撮影姿勢の認識方法。
【図１】
2021523420.tif 000004
【図２】
2021523420.tif 000005
【国際調査報告】
2021523420.tif 000006
2021523420.tif 000007
2021523420.tif 000008
2021523420.tif 000009